(57)【要約】【課題】  原稿から読み取った画像に対して効率良くエッジ強調処理を施す。【解決手段】  原稿から画像を読み取って画像データを生成する画像読み取り部と、前記画像読み取り部により生成された前記画像データに基づき印刷をする印刷部とを備えた印刷装置において、前記画像読み取り部により生成された前記画像データが格納される第１メモリと、前記第１メモリから読み出された前記画像データが格納される前記第１メモリとは別の第２メモリと、前記第２メモリから読み出された前記画像データに対してエッジ強調処理を施すエッジ強調処理部とを備え、前記エッジ強調処理部によりエッジ強調処理された前記画像データに基づき前記印刷部により印刷が行われることを特徴とする印刷装置。【選択図】    図６
2005117462.tif 000002
【特許請求の範囲】
【請求項１】
原稿から画像を読み取って画像データを生成する画像読み取り部と、
前記画像読み取り部により生成された前記画像データに基づき印刷をする印刷部とを備えた印刷装置において、
前記画像読み取り部により生成された前記画像データが格納される第１メモリと、
前記第１メモリから読み出された前記画像データが格納される前記第１メモリとは別の第２メモリと、
前記第２メモリから読み出された前記画像データに対してエッジ強調処理を施すエッジ強調処理部とを備え、
前記エッジ強調処理部によりエッジ強調処理された前記画像データに基づき前記印刷部により印刷が行われることを特徴とする印刷装置。
【請求項２】
前記第２メモリを２以上備え、前記第１メモリから読み出された前記画像データが格納される前記第２メモリが順次切り替わることを特徴とする請求項１に記載の印刷装置。
【請求項３】
前記エッジ強調処理部は、前記エッジ強調処理として、前記画像データに対してアンシャープマスク処理を施すことを特徴とする請求項１または２に記載の印刷装置。
【請求項４】
前記画像読み取り部により生成された前記画像データを外部に送信するデータ送信部を備えたことを特徴とする請求項１〜３のいずれか１項に記載の印刷装置。
【請求項５】
前記印刷部は、前記画像データに基づき印刷を行うための印刷データを生成する印刷データ生成部を備え、前記印刷データ生成部により生成された前記印刷データが前記第１メモリに格納されることを特徴とする請求項１〜４のいずれか１項に記載の印刷装置。
【請求項６】
前記印刷部が、媒体に対してインクを吐出して印刷を施す印刷部であることを特徴とする請求項１〜５のいずれか１項に記載の印刷装置。
【請求項７】
原稿から画像を読み取って画像データを生成する画像読み取り部と、
前記画像読み取り部により生成された前記画像データに基づき印刷をする印刷部とを備えた印刷装置において、
前記画像読み取り部により生成された前記画像データが格納される第１メモリと、
前記第１メモリから読み出された前記画像データが格納される前記第１メモリとは別の第２メモリと、
前記第２メモリから読み出された前記画像データに対してエッジ強調処理を施すエッジ強調処理部とを備え、
前記エッジ強調処理部によりエッジ強調処理された前記画像データに基づき前記印刷部により印刷が行われ、
前記第２メモリを２以上備え、前記第１メモリから読み出された前記画像データが格納される前記第２メモリが順次切り替わり、
前記エッジ強調処理部は、前記エッジ強調処理として、前記画像データに対してアンシャープマスク処理を施し、
前記画像読み取り部により生成された前記画像データを外部に送信するデータ送信部を備え、
前記印刷部は、前記画像データに基づき印刷を行うための印刷データを生成する印刷データ生成部を備え、前記印刷データ生成部により生成された前記印刷データが前記第１メモリに格納され、
前記印刷部が、媒体に対してインクを吐出して印刷を施す印刷部であることを特徴とする印刷装置。
【請求項８】
原稿から画像を読み取って画像データを生成する画像読み取り部と、
前記画像読み取り部により生成された前記画像データが格納される第１メモリと、
前記第１メモリから読み出された前記画像データが格納される前記第１メモリとは別の第２メモリと、
前記第２メモリから読み出された前記画像データに対してエッジ強調処理を施すエッジ強調処理部とを備えたことを特徴とする画像読み取り装置。
【請求項９】
原稿から画像を読み取って生成された画像データに基づき印刷を行う印刷方法において、
生成された前記画像データを第１メモリに格納し、当該第１メモリから読み出された前記画像データを前記第１メモリとは別の第２メモリに格納して、当該第２メモリから読み出された前記画像データに対してエッジ強調処理部によりエッジ強調処理を施すことを特徴とする印刷方法。
【請求項１０】
原稿から画像を読み取って画像データを生成する画像読み取り部と、前記画像読み取り部により生成された画像データに基づき印刷を行う印刷部とを備えた印刷装置において実行されるプログラムであって、
前記画像読み取り部により生成された前記画像データを第１メモリに格納するステップと、
前記第１メモリから前記画像データを読み出して前記第１メモリとは別の第２メモリに格納するステップと、
前記第２メモリから前記画像データを読み出して当該画像データに対してエッジ強調処理部によりエッジ強調処理を施すステップと、
前記エッジ強調処理部によりエッジ強調処理された前記画像データに基づき前記印刷部により印刷を行うステップとを実行することを特徴とするプログラム。
【請求項１１】
コンピュータ本体と、当該コンピュータ本体に接続された印刷装置とを備えた印刷システムにおいて、
前記印刷装置は、原稿から画像を読み取って画像データを生成する画像読み取り部と、前記画像読み取り部により生成された画像データに基づき印刷を行う印刷部とを備えた印刷装置であって、
前記画像読み取り部により生成された前記画像データが格納される第１メモリと、
前記第１メモリから読み出された前記画像データが順次格納される前記第１メモリとは別の第２メモリと、
前記第２メモリから読み出された前記画像データに対してエッジ強調処理を施すエッジ強調処理部とを備えていることを特徴とする印刷システム。
【発明の詳細な説明】
【技術分野】
【０００１】
本発明は、原稿から画像を読み取って画像データを生成する画像読み取り装置、並びに原稿から読み取られた画像から生成された画像データに基づき印刷処理を行う印刷装置、印刷方法及び印刷システムに関する。
【背景技術】
【０００２】
従来より、写真などの画像データに対して画像のエッジ部分を強調するエッジ強調処理を実行するアプリケーションプログラムが知られている。このアプリケーションプログラムは、パーソナルコンピュータをはじめとする各種コンピュータ上で実行されるプログラムであって、コンピュータに取り込まれた画像データに対して画像のエッジ部分を抽出して先鋭化する処理を行う。このような処理を行うことによって、輪郭がぼけた画像をシャープな画像に変換することができる。
【発明の開示】
【発明が解決しようとする課題】
【０００３】
一方、最近、媒体に印刷を施す印刷装置として、原稿から画像を読み取る画像読み取り部、いわゆるスキャナ部を備えた印刷装置が登場している。この印刷装置は、当該印刷装置に接続されたホストコンピュータから送られてきた印刷データに基づき、媒体に印刷する通常のプリンタとしての機能の他に、スキャナ部で原稿から読み取った画像から画像データを生成してホストコンピュータなどに出力するスキャナとしての機能と、スキャナ部で原稿から読み取られた画像を媒体に印刷するローカルコピー機能とを備えている。
【０００４】
しかしながら、このような印刷装置にあっては、前述したようなスキャナ部で読み取られた画像の画像データに対して、その画像のエッジ部を強調するようなエッジ強調処理は実施されていないかった。つまり、スキャナ部で原稿から読み取られた画像から生成された画像データは、そのまま外部のホストコンピュータ等へと出力されていたり、またそのまま内部の印刷処理部において印刷データに変換されて媒体に印刷されていたりした。
【０００５】
本発明は、このような事情に鑑みたものであって、その目的は、スキャナ部を備えた印刷装置等において、原稿から読み取った画像から生成された画像データに対してエッジ強調処理を施して、読み取った画像の画質向上を図ることにある。
【課題を解決するための手段】
【０００６】
前記目的を達成するための主たる発明は、
原稿から画像を読み取って画像データを生成する画像読み取り部と、
前記画像読み取り部により生成された前記画像データに基づき印刷をする印刷部とを備えた印刷装置において、
前記画像読み取り部により生成された前記画像データが格納される第１メモリと、
前記第１メモリから読み出された前記画像データが格納される前記第１メモリとは別の第２メモリと、
前記第２メモリから読み出された前記画像データに対してエッジ強調処理を施すエッジ強調処理部とを備え、
前記エッジ強調処理部によりエッジ強調処理された前記画像データに基づき前記印刷部により印刷が行われることを特徴とする印刷装置である。  
本発明の他の特徴は、本明細書及び添付図面の記載により明らかにする。
【発明の効果】
【０００７】
本発明によれば、装置全体の処理効率の低下を抑制しつつ、読み取られた画像データに対してエッジ強調処理を施すことができる。
【発明を実施するための最良の形態】
【０００８】
＝＝＝開示の概要＝＝＝
本明細書及び添付図面の記載により、少なくとも以下の事項が明らかとなる。
【０００９】
原稿から画像を読み取って画像データを生成する画像読み取り部と、
前記画像読み取り部により生成された前記画像データに基づき印刷をする印刷部とを備えた印刷装置において、
前記画像読み取り部により生成された前記画像データが格納される第１メモリと、
前記第１メモリから読み出された前記画像データが格納される前記第１メモリとは別の第２メモリと、
前記第２メモリから読み出された前記画像データに対してエッジ強調処理を施すエッジ強調処理部とを備え、
前記エッジ強調処理部によりエッジ強調処理された前記画像データに基づき前記印刷部により印刷が行われることを特徴とする印刷装置。
【００１０】
このような印刷装置にあっては、画像読み取り部により生成された画像データを第１メモリに格納し、この第１メモリから読み出された画像データが格納される第２メモリから画像データを読み出してエッジ強調処理部によりエッジ強調処理を施すから、第１メモリへのアクセス回数を可及的に削減することができ、これにより、装置全体の処理効率が低下することを抑制することができる。
【００１１】
かかる印刷装置にあっては、前記第２メモリを２以上備え、前記第１メモリから読み出された前記画像データが格納される前記第２メモリが順次切り替わっても良い。このように２以上の第２メモリを備えれば、装置全体の処理効率の低下を抑制することができる。
【００１２】
また、かかる印刷装置にあっては、前記エッジ強調処理部は、前記エッジ強調処理として、前記画像データに対してアンシャープマスク処理を施しても良い。このようにエッジ強調処理として、アンシャープマスク処理が行われることで、画像データに対して十分なエッジ強調処理を施すことができる。
【００１３】
また、かかる印刷装置にあっては、前記画像読み取り部により生成された前記画像データを外部に送信するデータ送信部を備えていても良い。このようなデータ送信部を備えれば、エッジ強調処理された画像データを外部に簡単に送信することができる。
【００１４】
また、かかる印刷装置にあっては、前記印刷部は、前記画像データに基づき印刷を行うための印刷データを生成する印刷データ生成部を備え、前記印刷データ生成部により生成された前記印刷データが前記第１メモリに格納されても良い。前述したようにエッジ強調処理される画像データは、第２メモリに一旦格納され、第１メモリへのアクセス回数が抑制されているから、前述した印刷データが第１メモリに格納されても、処理効率が低下することを抑制できる。このように印刷データと画像データの格納メモリが共有されることで、装置構成の簡略化を図ることができる。
【００１５】
また、かかる印刷装置にあっては、前記印刷部が、媒体に対してインクを吐出して印刷を施す印刷部であっても良い。このような印刷部を備えれば、媒体に対して簡単に印刷を施すことができる。
【００１６】
原稿から画像を読み取って画像データを生成する画像読み取り部と、
前記画像読み取り部により生成された前記画像データに基づき印刷をする印刷部とを備えた印刷装置において、
前記画像読み取り部により生成された前記画像データが格納される第１メモリと、
前記第１メモリから読み出された前記画像データが格納される前記第１メモリとは別の第２メモリと、
前記第２メモリから読み出された前記画像データに対してエッジ強調処理を施すエッジ強調処理部とを備え、
前記エッジ強調処理部によりエッジ強調処理された前記画像データに基づき前記印刷部により印刷が行われ、
前記第２メモリを２以上備え、前記第１メモリから読み出された前記画像データが格納される前記第２メモリが順次切り替わり、
前記エッジ強調処理部は、前記エッジ強調処理として、前記画像データに対してアンシャープマスク処理を施し、
前記画像読み取り部により生成された前記画像データを外部に送信するデータ送信部を備え、
前記印刷部は、前記画像データに基づき印刷を行うための印刷データを生成する印刷データ生成部を備え、前記印刷データ生成部により生成された前記印刷データが前記第１メモリに格納され、
前記印刷部が、媒体に対してインクを吐出して印刷を施す印刷部であることを特徴とする印刷装置。
【００１７】
原稿から画像を読み取って画像データを生成する画像読み取り部と、
前記画像読み取り部により生成された前記画像データが格納される第１メモリと、
前記第１メモリから読み出された前記画像データが格納される第２メモリと、
前記第２メモリから読み出された前記画像データに対してエッジ強調処理を施すエッジ強調処理部とを備えたことを特徴とする画像読み取り装置。
【００１８】
原稿から画像を読み取って生成された画像データに基づき印刷を行う印刷方法において、
生成された前記画像データを第１メモリに格納し、当該第１メモリから読み出された前記画像データを第２メモリに格納して、当該第２メモリから読み出された前記画像データに対してエッジ強調処理部によりエッジ強調処理を施すことを特徴とする印刷方法。
【００１９】
原稿から画像を読み取って画像データを生成する画像読み取り部と、前記画像読み取り部により生成された画像データに基づき印刷を行う印刷部とを備えた印刷装置において実行されるプログラムであって、
前記画像読み取り部により生成された前記画像データを第１メモリに格納するステップと、
前記第１メモリから前記画像データを読み出して第２メモリに格納するステップと、
前記第２メモリから前記画像データを読み出して当該画像データに対してエッジ強調処理部によりエッジ強調処理を施すステップと、
前記エッジ強調処理部によりエッジ強調処理された前記画像データに基づき前記印刷部により印刷を行うステップとを実行することを特徴とするプログラム。
【００２０】
コンピュータ本体と、当該コンピュータ本体に接続された印刷装置とを備えた印刷システムにおいて、
前記印刷装置は、原稿から画像を読み取って画像データを生成する画像読み取り部と、前記画像読み取り部により生成された画像データに基づき印刷を行う印刷部とを備えた印刷装置であって、
前記画像読み取り部により生成された前記画像データが格納される第１メモリと、
前記第１メモリから読み出された前記画像データが順次格納される第２メモリと、
前記第２メモリから読み出された前記画像データに対してエッジ強調処理を施すエッジ強調処理部とを備えていることを特徴とする印刷システム。
【００２１】
＝＝＝印刷装置の概要＝＝＝
以下に本実施形態に係る印刷装置の実施の形態について、スキャナ付きインクジェットプリンタを例にとり、その概要について説明する。図１〜図５は、そのスキャナ付きインクジェットプリンタを説明する図である。図１〜図３は、そのプリンタを外部から見たときの図であり、図４は、そのプリンタの内部機構の概要を説明する図であり、図５は、そのプリンタの制御部の概要を説明する図である。
【００２２】
このスキャナ付きインクジェットプリンタ１は、原稿から画像を読み取って画像データを生成するスキャナ機能と、ホストコンピュータから送られてきた印刷データに基づき印刷媒体に印刷をするプリンタ機能と、原稿から読み取った画像を印刷媒体に印刷して複写するローカルコピー機能とを備えたスキャナ・プリンタ・コピー複合装置（以下、ＳＰＣ複合装置という）である。このＳＰＣ複合装置１は、図１に示すように、その上部に原稿５から画像を読み取るためのスキャナ部１０（本発明における画像読み取り部に相当）を備え、また、その下部に、用紙７に印刷をするための印刷部３０を備えている。また装置１の前面部には、操作パネル部７０が設けられている。
【００２３】
スキャナ部１０は、図２に示すように、原稿５がセットされるガラス板が設けられた原稿台１２と、当該原稿台１２を上方から覆う原稿台カバー１４とを備えている。原稿台カバー１４は、装置１の後端部に回動可能に取付けられ、原稿台１２の上面を開閉するように設けられている。
【００２４】
一方、印刷部３０は、図３に示すように、スキャナ部１０を上方に持ち上げることによって、その内部が開口部３０１を通じて外部に開放されるように構成されている。つまり、スキャナ部１０は、装置１の後部にヒンジ部４１を介して回動自在に装着されており、このスキャナ部１０を上方へと持ち上げることで、印刷部３０の内部に通じる開口部３０１が開放される。印刷部３０の内部には、インクカートリッジを搭載するキャリッジ３６などが配置されている。このように印刷部３０の内部が開放されることにより、その開口部３０１を通じてインクカートリッジの交換等のメンテナンス作業や、紙詰まり等のエラー対処等を容易に行うことができるようになっている。
【００２５】
また、印刷部３０は、装置１の背部に、印刷媒体として用紙７がセットされて当該用紙７を順次供給する給紙部３２を備えているとともに、装置１の前部に、印刷された用紙７が排出される排紙部３４を備えている。給紙部３２は、給紙トレー３２１を備え、給紙トレー３２１にカット紙（図示外）を保持するようになっている。また、排紙部３４は、排紙トレー３４１を備え、印刷されて排出された用紙７を受けるとともに、不使用時には排紙口を塞ぐことができる。なお、給紙部３２にセットされる媒体としては、カット紙などの単票状印刷用紙のみならず、ロール紙などの連続した印刷用紙でも構わず、給紙部３２がこれらの媒体に対応した構造を備えていても良い。
【００２６】
＝＝＝スキャナ部１０・印刷部３０の内部機構＝＝＝
図４は、スキャナ部１０および印刷部３０の内部機構を示したものである。  
スキャナ部１０は、同図の上部に示すように、原稿台１２の下側に、スキャナ用キャリッジ１６と、このキャリッジ１６を原稿台１２に対して所定の間隔を保ちつつ図中矢印Ａ方向に沿って平行に移動させる駆動機構１８と、キャリッジ１６を支持しつつその移動を案内するガイド２０とを備えている。
【００２７】
スキャナ用キャリッジ１６には、原稿台１２を介して原稿５に対し光を照射する光源としての露光ランプ２２と、原稿５から反射された反射光を案内する複数枚のミラー２６と、ミラー２６により案内された反射光を集光するレンズ２４と、このレンズ２４により集光された反射光を受光するＣＣＤセンサ２８とが搭載されている。
【００２８】
ＣＣＤセンサ２８は、光信号を電気信号に変換するフォトダイオードが列状に配置されて構成された３本のリニアセンサ（図示外）を備えている。これら３本のリニアセンサは、相互に間隔をあけて平行に配置され、それぞれＲ（レッド）、Ｇ（グリーン）およびＢ（ブルー）の３色の異なるフィルタが設けられている。各リニアセンサは、各フィルタの色に対応した成分の光をそれぞれ反射光から検出し、その検出結果を制御部５０に出力する。
【００２９】
また、駆動機構１８は、スキャナ用キャリッジ１６に接続されたタイミングベルト１８１と、このタイミングベルト１８１が掛け渡された一対のプーリ１８３、１８４と、一方のプーリ１８２を回転駆動する駆動モータ１８３とを備えている。駆動モータ１８３は、制御部５０からの制御信号によって駆動制御される。
【００３０】
一方、印刷部３０は、図４の下部に示すように、プリンタ用キャリッジ３６と、このキャリッジ３６に搭載された印刷ヘッド３８と、プリンタ用キャリッジ３６を用紙７に対して所定の間隔を保持しつつ相対的に平行に移動させる駆動機構４１と、用紙７を前記キャリッジ３６の移動方向とは直交する方向に沿って紙送りする紙送り機構４３とを備えている。
【００３１】
プリンタ用キャリッジ３６には、カートリッジ装着部が設けられ、このカートリッジ装着部には、ブラック（Ｋ）、シアン（Ｃ）、マゼンタ（Ｍ）、イエロ（Ｙ）等のインクが収容されたインクカートリッジが装着される。
【００３２】
印刷ヘッド３８は、インクカートリッジから供給された各色のインクを用紙７に向けて吐出して当該用紙７上にドットを形成することで、用紙７に画像を形成して印刷を施すようになっている。
【００３３】
駆動機構４１は、プリンタ用キャリッジ３６に接続されたタイミングベルト４９と、このタイミングベルト４９に噛合されたプーリ４８と、このプーリ４８を回転駆動するキャリッジモータ４２（以下、ＣＲモータともいう）と、プリンタ用キャリッジ３６の位置を検出するリニア式エンコーダ４６とを備えている。この駆動機構４１は、キャリッジモータ４０を駆動してプーリ４８を介してタイミングベルト４９を回転させることにより、プリンタ用キャリッジ３６を用紙７に対して相対的に移動させるようになっている。キャリッジモータ４０は、制御部５０からの制御信号により駆動制御される。
【００３４】
紙送り機構４３は、プラテン３５と、搬送ローラ３７と、当該搬送ローラ３７を回転駆動する紙送りモータ４２（以下、ＰＦモータともいう）と、用紙７が所定位置に到達したか否かを検出する紙検出センサ４５と、搬送ローラ３７の回転量を検出するロータリ式エンコーダ４７とを備えている。プラテン３５は、印刷ヘッド３８に対向して配置されている。紙送りモータ４２が駆動すると、搬送ローラ３７が回転して、用紙７がプラテン３５上を搬送される。紙送りモータ４２は、制御部５０からの制御信号により駆動制御される。
【００３５】
印刷時には、用紙７が搬送ローラ３７により間欠的に所定の搬送量で搬送され、その間欠的な搬送の合間にプリンタ用キャリッジ３６が、搬送ローラ３７による搬送方向に対して交差する方向に沿って移動しながら、印刷ヘッド３８から用紙７に向けてインクを吐出して印刷が施されるようになっている。
【００３６】
＝＝＝制御部５０の構成＝＝＝
図５は、本実施形態に係るＳＰＣ複合装置１の制御部５０のシステム構成を示したブロック構成図である。
【００３７】
制御部５０は、ＳＰＣ複合装置１の全体の制御を司るＣＰＵ（中央制御部）５４と、ＣＰＵ５４が読み書きするためのＣＰＵ用のメモリ５７と、各種専用の処理を実行するＡＳＩＣ５１と、ホストコンピュータ３など外部との間で通信を行うための通信インターフェース５２（本発明におけるデータ送信部に相当）と、操作パネル部７０における操作入力の検出や液晶ディスプレイ７２の表示制御などを行う操作制御部７１と、ＣＰＵ５４で実行される制御用プログラムなどを格納したＲＯＭ（図示外）とを備えている。ＲＯＭには、当該ＳＰＣ複合装置１を制御するための制御プログラムなどが記憶されている。ＣＰＵ５４は、ＲＯＭから制御プログラムを読み出して実行することにより、ＳＰＣ複合装置１の各部を制御する。ここでは、ＣＰＵ５４とバス５０１で接続された、メモリ５７やＡＳＩＣ５１、通信インターフェース５２、操作制御部７１などが制御される。ＣＰＵ用のメモリ５７は、ＳＤＲＡＭなどをはじめとするメモリ等の適宜な記憶手段により構成される。当該メモリ５７には、受信バッファ（図示外）やプリンタ動作用イメージバッファ５７１、５７２などが設けられる。
【００３８】
ＡＳＩＣ５１は、スキャナコントロールユニット５８と、２値化処理ユニット６０と、インターレース処理ユニット６２と、イメージバッファユニット６４と、ＣＰＵインターフェイスユニット（以下、ＣＰＵＩＦユニットという）６６と、ヘッドコントロールユニット６８と、ＡＳＩＣ５１が読み書きするためのＡＳＩＣ用のメモリ６９（本発明における第１メモリに相当）とを備えている。ＡＳＩＣ用のメモリ６９は、本実施形態では、ＳＤＲＡＭにより構成されている。もちろん、このメモリ６９は、ＳＤＲＡＭ以外の他の適宜なデータ記憶部により構成されても良い。このメモリ６９には、ラインバッファ６９１と、インターレースバッファ６９２と、２つのイメージバッファ６９３、６９４とがそれぞれ設けられている。
【００３９】
スキャナコントロールユニット５８は、スキャナ部１０の露光ランプ２２やＣＣＤセンサ２８、これらを搭載したスキャナ用キャリッジ１６を移動させる駆動モータ１８２などを駆動制御するとともに、ＣＣＤセンサ２８において原稿５から画像を読み取り、この読み取りにより得られたデータをラインバッファ６９１に一旦格納される。ここでは、例えば多階調のＲＧＢデータなどといった形式の画像データを生成して、この画像データをラインバッファ６９１に蓄積する。ここでいうＲＧＢデータとは、Ｒ（レッド）、Ｇ（グリーン）及びＢ（ブルー）の各色別の画像情報からなるデータであり、本実施形態では、ＣＣＤセンサ２８に設けられた３本のリニアセンサ、即ち、Ｒ（レッド）、Ｇ（グリーン）及びＢ（ブルー）の各色に対応したリニアセンサから得られた３色分の画像データにより構成されている。
【００４０】
ラインバッファ６９１に蓄積された画像データは、ライン間補正処理が施されてから、スキャナコントロールユニット５８により順次読み出されて、エッジ強調処理ユニット（本発明のエッジ強調処理部に相当）８０に送信される。ここで、ライン間補正処理とは、スキャナ部のＣＣＤセンサ２８に設けられたＲ（レッド）、Ｇ（グリーン）及びＢ（ブルー）の３本のリニアセンサ間の読み取り位置のズレを補正する処理である。すなわち、３本のリニアセンサは、相互に間隔をあけて設けられているため、原稿５上の同一ライン上の画像を読み取る場合、各色ごとに時間的なズレが発生する。このような各色ごとの時間的なズレを補正するために、先に読み込んだ色のデータを後から読み込んだ色のデータに同期させて出力する処理が必要なのである。
【００４１】
エッジ強調処理ユニット８０は、ラインバッファ６９１から読み出された画像データに対してエッジ強調処理を施す。このエッジ強調処理は、その画像データの画像のエッジ部（輪郭部）等の変化の激しい部分を抽出してそれを強調する処理のことである。このようなエッジ強調処理を施すことによって、画像データの画像を先鋭化することができる。このエッジ強調処理については、後で詳しく説明する。エッジ強調処理部８０によりエッジ強調処理された画像データは、２値化処理ユニット６０へと順次送出される。
【００４２】
２値化処理ユニット６０は、送られてきた画像データを２値化処理して２値化データを生成する。例えば、画像データが多階調のＲＧＢデータの場合には、メモリ６９に記憶されたルックアップテーブル（ＬＵＴ）６９５を参照して、その画像データを例えばＣＭＹＫの各色ごとの２値化データ（ＣＭＹＫデータともいう）等の２値データに変換処理する。ここで生成されるＣＭＹＫデータとは、シアン（Ｃ）、マゼンタ（Ｍ）、イエロ（Ｙ）、ブラック（Ｋ）の各色別の２値データから構成されるデータのことであり、各色別の２値データは、インクカートリッジの各色に対応している。ここで生成された２値化データは、スキャナコントロールユニット５８からインターレース処理ユニット６２へと順次送出される。
【００４３】
インターレース処理ユニット６２は、スキャナコントロールユニット５８からの２値化データをインターレースバッファ６９２に順次記憶する。そして、インターレース処理ユニット６２は、インターレースバッファ６９２から２値化データを順次読み出して、印刷ヘッド３８が所定の方向に沿って１回移動される毎に印刷処理すべき１走査分のヘッド駆動データを生成する。このヘッド駆動データは、印刷ヘッド３８の各色の各ノズル♯１〜♯１０に対し、インクを吐出するかしないかを指示する２値データであり、印刷ヘッド３８の移動方向に沿って配列された『０』（インクを吐出しない）または『１』（インクを吐出する）のビットにより構成されている。
【００４４】
インターレース処理ユニット６２は、このような１走査分のヘッド駆動データを順次イメージバッファユニット６４に送出する。イメージバッファユニット６４は、送られてきた１走査分のヘッド駆動データを、２つのイメージバッファ６９３、６９４に順次振り分けながら格納する。
【００４５】
イメージバッファ６９３、６９４に格納された１走査分のヘッド駆動データは、ＣＰＵ５４によりＣＰＵＩＦユニット６６を通じて順次読み出されて、ヘッドコントロールユニット６８に送出される。
【００４６】
ヘッドコントロールユニット６８は、ＣＰＵ５４により送られてきたヘッド駆動データに基づき、印刷ヘッド３８を駆動して用紙７に対して印刷をする。すなわち、ヘッドコントロールユニット６８は、送られてきたヘッド駆動データに基づき、インクを吐出するノズルに設けられたピエゾ素子を駆動して各ノズルからインクを媒体に向けて吐出して印刷を行う。
【００４７】
＝＝＝各機能における動作＝＝＝
＜スキャナ時の動作＞
ホストコンピュータ３等から画像読み取り命令があると、ＣＰＵ５４からスキャナコントロールユニット５８に対し画像読み取り命令が発せられる。この命令を受けたスキャナコントロールユニット５８は、駆動モータ１８３を駆動してスキャナ用キャリッジ１６を移動させながらＣＣＤセンサ２８を通じて、原稿台１２にセットされた原稿５から画像を読み取り、この読み取りにより取得したデータをラインバッファ６９１に順次蓄積する。そして、スキャナコントロールユニット５８は、ラインバッファ６９１に蓄積したデータをライン間補正処理を施しながら順次読み出して、エッジ強調処理ユニット８０に送信する。エッジ強調処理ユニット８０に送信された画像データは、エッジ強調処理ユニット８０によりエッジ強調処理が施されてから、通信インターフェース５２に出力されて、当該通信インターフェース５２からホストコンピュータ３に送信される。
【００４８】
＜プリンタ時の動作＞
ＣＰＵ５４は、ホストコンピュータ３からの印刷データを通信インターフェース５２で受信し、その印刷データをＣＰＵ用メモリ５６に設けられた受信バッファに記憶する。ここで、送られてくる印刷データは、ホストコンピュータ３により予め印刷ヘッド３８が所定の方向に沿って１回移動される毎に印刷ヘッド３８により印刷処理されるべき１走査分のヘッド駆動データとして加工されている。ＣＰＵ５４は、印刷データから１走査分のヘッド駆動データを抽出して、当該ヘッド駆動データを各イメージバッファ５７１、５７２に振り分けながら順次格納する。そして、各イメージバッファ５７１、５７２に格納されたヘッド駆動データは、各イメージバッファ５７１、５７２から順次読み出されてヘッドコントロールユニット６８へと送出される。ヘッドコントロールユニット６８は、送られてきたヘッド駆動データに基づき、印刷ヘッド３８を駆動して用紙７に対して印刷をする。
【００４９】
＜ローカルコピー時の動作＞
ユーザからコピー命令を受けると、ＣＰＵ５４により、スキャナコントロールユニット５８に対し画像読み取り命令が発せられる。この命令を受領したスキャナコントロールユニット５８は、原稿台１２にセットされた原稿５から画像を取り込んで画像データを生成してラインバッファ６９１に格納する。そして、スキャナコントロールユニット５８は、ラインバッファ６９１に蓄積したデータをライン間補正処理を施しながら順次読み出して、エッジ強調処理ユニット８０に送信する。エッジ強調処理ユニット８０に送信された画像データは、エッジ強調処理ユニット８０によりエッジ強調処理が施されてから、２値化処理ユニット６０へと順次送出される。２値化処理ユニット６０は、送られてきた画像データを順次２値化処理して２値化データを生成する。ここで、カラーコピーが選択された場合には、例えばＣＭＹＫデータ等の複数色分の２値化データが生成され、またモノクロコピーが選択された場合には、１色分の２値化データが生成される。生成された２値化データは、２値化処理ユニット６０により順次インターレース処理ユニット６２に送出される。
【００５０】
インターレース処理ユニット６２は、送られてきた２値化データをインターレースバッファ６９２に記憶し、ここから順次２値化データを読み出して、印刷ヘッド３８が所定の方向に沿って１回移動される毎に印刷処理すべき１走査分のヘッド駆動データを生成し、当該ヘッド駆動データを順次イメージバッファユニット６４に送出する。
【００５１】
イメージバッファユニット６４は、送られてきた１走査分のヘッド駆動データを、２つのイメージバッファ６９３、６９４に振り分けつつ格納し、格納されたヘッド駆動データは、ＣＰＵＩＦＵ６６により順次イメージバッファ６９３、６９４から読み出されて、ヘッドコントロールユニット６８へ送られる。ヘッドコントロールユニット６８は、このヘッド駆動データに基づき印刷ヘッド３８を駆動して用紙に印刷を施す。これにより、原稿台１２にセットされた原稿５の画像が用紙７に印刷されて複写される。
【００５２】
＝＝＝エッジ強調処理＝＝＝
次にエッジ強調処理ユニットで行われるエッジ強調処理について詳しく説明する。
【００５３】
＜エッジ強調処理ユニットの構成＞
図６は、エッジ強調処理ユニット８０の構成を概略的に示したブロック構成図である。このエッジ強調処理ユニット８０は、ラインポインタ制御部８４と、第１バッファメモリ８６Ａ及び第２バッファメモリ８６Ｂ（本発明の第２メモリに相当）と、バッファ制御部８８と、ＵＳＭ（UnSharp Mask）回路９０とを備えている。
【００５４】
ラインポインタ制御部８４は、ＳＤＲＡＭ６９に格納された画像データを読み出す処理を行う。ラインポインタ制御部８４は、画像データの読出しを開始するアドレスをＳＤＲＡＭＩＦ１１０に伝達するとともに、ＳＤＲＡＭＩＦ１１０に対して、ＳＤＲＡＭ６９から画像データの読出しを終了するアドレス、または読み出すデータのサイズを伝達する。ＳＤＲＡＭＩＦ１１０は、ラインポインタ制御部８４から伝達された命令に応じて、ＳＤＲＡＭ６９から画像データを読み出す処理を開始する。なお、ここでは、１６画素（Ｐｉｘｅｌ、１２８ｂｉｔ）単位でＳＤＲＡＭ６９から画像データが読み出される。
【００５５】
ＳＤＲＡＭ６９から読み出された画像データは、第１バッファメモリ８６Ａまたは第２バッファメモリ８６Ｂのどちらか一方に格納される。これら第１バッファメモリ８６Ａ及び第２バッファメモリ８６Ｂは、ＳＤＲＡＭ６９から読み出された画像データが格納される記憶部であり、ＳＲＡＭをはじめとする各種メモリなどにより構成されている。これら第１バッファメモリ８６Ａ及び第２バッファメモリ８６Ｂは、バッファ制御部８８により統括制御されている。バッファメモリは、ＳＤＲＡＭ６９から読み出された画像データを第１バッファメモリ８６Ａまたは第２バッファメモリ８６Ｂのどちらに格納するか判断する。また、バッファ制御部８８は、第１バッファメモリ８６Ａまたは第２バッファメモリ８６Ｂに記憶されたデータの消去も行うようになっている。
【００５６】
第１バッファメモリ８６Ａまたは第２バッファメモリ８６Ｂに格納された画像データは、第１バッファメモリ８６Ａまたは第２バッファメモリ８６ＢからＵＳＭ回路９０により順次読み出される。ＵＳＭ回路９０は、第１バッファメモリ８６Ａまたは第２バッファメモリ８６Ｂから読み出された画像データに対し、エッジ強調処理として、アンシャープマスク処理を施す回路である。ここで行われるアンシャープマスク処理については、後で詳しく説明する。ＵＳＭ回路９０によりアンシャープマスク処理が施された画像データは、ＵＳＭ回路９０から２値化処理ユニット６０または通信インターフェース５２へと順次出力される。
【００５７】
ＵＳＭ回路９０は、第１バッファメモリ８６Ａまたは第２バッファメモリ８６Ｂに格納された画像データに対するアンシャープマスク処理が終了すると、その旨、バッファ制御部８８に伝達する。バッファ制御部８８は、その画像データが格納されていた第１バッファメモリ８６Ａまたは第２バッファメモリ８６Ｂに格納されていたデータを消去する処理を行って、次のデータをＳＤＲＡＭ６９から読み出すようにラインポインタ制御部８４に伝達する。
【００５８】
＜アンシャープマスク処理の概要＞
次にＵＳＭ回路９０で行われるアンシャープマスク処理の概要について説明する。ここで行われるアンシャープマスク処理とは、画像データの画像に対してエッジ強調処理を施す処理のことであり、その処理の際に、その画像のエッジ部分をぼかした画像、即ち「アンシャープマスク」を利用する。このアンシャープマスク処理では、まず、処理の対象となる画像データからその画像のエッジ部分をぼかしたぼけ画像（アンシャープマスク）の画像データを作成し、このぼけ画像と、元の画像との差分を求めることによりエッジ部分等の変化の激しい部分を抽出して、その変化の激しい部分についてその変化を強調するような処理を行うのである。
【００５９】
ぼけ画像の画像データの生成には、フィルタを用いる。図７は、ここで使用されるフィルタの一例を示したものである。このフィルタは、縦３画素、横３画素の「３×３」のサイズに設定されたフィルタであり、その中央部の画素（図中斜線部分）が、処理の対象となる着目画素Ｍとなっている。このフィルタでは、このフィルタ内（「３×３」の升目内）に存在する着目画素Ｍとその着目画素Ｍを取り囲む８つの画素Ｐ１〜Ｐ８のデータのの平均値を求めるようになっている。そして、求めた平均値を着目画素Ｍに対応するぼけ画像の画素の値に設定して、その値に基づき出力値を求める。
【００６０】
図８Ａ及び図８Ｂは、本実施形態において行われる処理の具体的な概要を説明したものである。ＳＤＲＡＭ６９に格納された画像データが、図８Ａに示すようなドットマトリックス状に配置された多数の画素データにより構成されるとき、この画像データの中から縦３画素、横１６画素分のデータ（図中領域Ａの範囲のデータ）がＳＤＲＡＭ６９から読み出される。読み出されたデータは、第１バッファメモリ８６Ａまたは第２バッファメモリ８６Ｂのどちらか一方に格納される。
【００６１】
ＵＳＭ回路９０は、第１バッファメモリ８６Ａまたは第２バッファメモリ８６Ｂに格納されたデータに対して、図７に示す「３×３」のサイズのフィルタＦを用いてアンシャープマスク処理を行う。ここでは、フィルタＦは、図８Ｂに示すように、第１バッファメモリ８６Ａまたは第２バッファメモリ８６Ｂに格納されたデータの左側から適用される。着目画素は、上から２行目の左から２番目の画素Ｑ（図中塗りつぶされた部分）に設定される。ＵＳＭ回路９０は、フィルタＦ内に存在する着目画素として設定された画素Ｑとその画素Ｑを取り囲む８つの画素のデータの平均値を求める。そして、求めた平均値に基づき、着目画素Ｍに対応する出力値を求める。
【００６２】
ＵＳＭ回路９０は、１つの着目画素Ｑについてのフィルタ処理が終了すると、着目画素を右側に１画素分ずらしてフィルタＦを設定し、再度、フィルタ処理を行う。このようにして、ＵＳＭ回路９０は、図中矢印Ｂ方向に沿って順次着目画素をずらしながら、フィルタ処理を行う。これにより、第１バッファメモリ８６Ａまたは第２バッファメモリ８６Ｂに格納されたデータのうち第２行目の画素（図中斜線部分）に対応するフィルタ出力値が生成される。なお、第２行目の最左端および最右端に位置する画素のフィルタ出力値については、他の方法、例えば不足データを擬似的に生成するなどして求める。
【００６３】
第１バッファメモリ８６Ａまたは第２バッファメモリ８６Ｂに格納されたデータにつきフィルタ処理が終了すると、ＵＳＭ回路９０は、その旨、バッファ制御部８８に伝達して、フィルタ処理の対象とするバッファメモリをもう一方のバッファメモリに切り替える。バッファ制御部８８は、ＵＳＭ回路９０による処理が済んだバッファメモリ８６Ａ、８６Ｂに対してデータ消去を実行する。そして、バッファ制御部８８は、ＳＤＲＡＭ６９から次のデータを読み出して、データを消去したバッファメモリ８６Ａ、８６Ｂに格納する。このようにしてＳＤＲＡＭ６９に格納された画像データに対して順次アンシャープマスク処理を実行する。
【００６４】
＜ＵＳＭ回路の演算処理＞
図９は、ＵＳＭ回路９０により行われるアンシャープマスク処理における演算処理の概要を説明した図である。ＵＳＭ回路９０は、着目画素の画素データ（以下元データ）Ｄｉを取得し（Ｓ１０１）、その画素データＤｉと、着目画素の周囲の画素の画素データとからマトリックス演算を行い（Ｓ１０２）、ぼかしデータＤｇを算出する（Ｓ１０３）。そして、元データＤｉとぼかしデータＤｇとの差分値を求め（Ｓ１０４）、その差分値に基づき強度テーブルを参照して当該差分値に対応する強度Ｉを取得する（Ｓ１０５）。得られた強度Ｉと、差分値（Ｄｉ−Ｄｇ）とを乗算して（Ｓ１０６）、その乗算値について閾値Ｔと比較する（Ｓ１０７）。ここで、強度Ｉと、差分値（Ｄｉ−Ｄｇ）との乗算値｛Ｉ×（Ｄi−Ｄｇ）｝が、閾値Ｔを上回った場合には、元データＤｉに乗算値｛Ｉ×（Ｄi−Ｄｇ）｝を加算した値から、閾値Ｔを減算し、その減算により得られた値をフィルタ出力値Ｄｏとする。また、乗算値｛Ｉ×（Ｄi−Ｄｇ）｝が、閾値−Ｔを下回った場合には、元データＤｉに乗算値｛Ｉ×（Ｄi−Ｄｇ）｝を加算した値にさらに閾値Ｔを加算して、その加算により得られた値をフィルタ出力値Ｄｏとする。また、乗算値｛Ｉ×（Ｄi−Ｄｇ）｝が閾値Ｔよりも小さく、また閾値−Ｔよりも大きい場合には、元データＤｉを何も変換せずにそのままフィルタ出力値Ｄｏとする。
【００６５】
以上このような装置にあっては、スキャナ部１０で読み取られた画像から生成された画像データに対して、アンシャープマスク処理を施すから、ぼけの少ないシャープな画像を得ることができ、これにより、ホストコンピュータ３に出力される画像や、印刷部３０で印刷される画像の高画質化を図ることができる。
【００６６】
しかも、読み取られた画像のデータを格納するメモリ（ＳＤＲＡＭ６９）と、アンシャープマスク処理を実施する際に使用するメモリ（第１バッファメモリ８６Ａ、第２バッファメモリ８６Ｂ）とをそれぞれ別々にしたことで、スムーズに処理を行うことができ、スループットの低下を抑制することができる。
【００６７】
なお、ここでは、アンシャープマスク処理のフィルタとして、「３×３」のサイズのフィルタを用いていたが、使用するフィルタのサイズはこれに限らず、例えば、縦５画素、横５画素の「５×５」のサイズなど、他のサイズのフィルタを用いても構わない。
【００６８】
＝＝＝印刷システム等の構成＝＝＝
次に、本発明に係る印刷システムの一例として、印刷装置としてＳＰＣ複合装置１を備えた印刷システムを例にして説明する。
【００６９】
図１０は、印刷システムの外観構成を示した説明図である。印刷システム１０００は、コンピュータ本体１１０２と、表示装置１１０４と、ＳＰＣ複合装置１と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Cathode Ray Tube：陰極線管）やプラズマディスプレイや液晶表示装置等が用いられるのが一般的であるが、これに限られるものではない。ＳＰＣ複合装置１は、上記に説明されたプリンタが用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magnet Optical）ディスクドライブ装置やＤＶＤ（Digital Versatile Disk）等の他のものであっても良い。
【００７０】
図１１は、図１０に示した印刷システムの構成を示すブロック図である。コンピュータ本体１１０２が収納された筐体内にＲＡＭ等の内部メモリ１２０２と、ハードディスクドライブユニット１２０４等の外部メモリがさらに設けられている。
【００７１】
上述したプリンタ１の動作を制御するコンピュータプログラムは、例えばインターネット等の通信回線を経由して、ＳＰＣ複合装置１に接続されたコンピュータ１０００等にダウンロードさせることができるほか、コンピュータによる読み取り可能な記録媒体に記録して配布等することもできる。記録媒体としては、例えば、フレキシブルディスクＦＤ、ＣＤ−ＲＯＭ、ＤＶＤ−ＲＯＭ、光磁気ディスクＭＯ、ハードディスク、メモリ等の各種記録媒体を用いることができる。なお、このような記憶媒体に記憶された情報は、各種の読取装置１１１０によって、読み取り可能である。
【００７２】
なお、以上の説明においては、ＳＰＣ複合装置１が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とＳＰＣ複合装置１から構成されても良く、コンピュータシステムが表示装置１１０４、入力装置１１０８及び読取装置１１１０のいずれかを備えていなくても良い。また、例えば、ＳＰＣ複合装置１が、コンピュータ本体１１０２、表示装置１１０４、入力装置１１０８、及び、読取装置１１１０のそれぞれの機能又は機構の一部を持っていても良い。一例として、ＳＰＣ複合装置１が、画像処理を行う画像処理部、各種の表示を行う表示部、及び、デジタルカメラ等により撮影された画像データを記録した記録メディアを着脱するための記録メディア着脱部等を有する構成としても良い。
【００７３】
このようにして実現された印刷システムは、システム全体として従来システムよりも優れたシステムとなる。
【００７４】
＝＝＝その他の実施の形態＝＝＝
以上、一実施形態に基づき、本発明に係るプリンタ等の印刷装置について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に係る印刷装置に含まれるものである。
【００７５】
また、本実施形態において、ハードウェアによって実現されていた構成の一部又は全部をソフトウェアによって置き換えてもよく、逆に、ソフトウェアによって実現されていた構成の一部をハードウェアによって置き換えてもよい。
【００７６】
また、印刷装置側にて行っていた処理の一部をホスト側にて行ってよく、また印刷装置とホストの間に専用の処理装置を介設して、この処理装置にて処理の一部を行わせるようにしてもよい。
【００７７】
＜印刷装置について＞
本発明の印刷装置にあっては、前述したインクジェットプリンタに限らず、バブルジェット方式のプリンタなどの他のインク吐出形式により印刷を行う印刷装置であっても良い。
【００７８】
また、この他に、本発明の印刷装置としては、インクを吐出しないタイプのプリンタ、具体的には、ドットインパクト式プリンタや熱転写プリンタ、またレーザービーム式プリンタなど、印刷機能を備えていれば、どのようなタイプの印刷装置であっても構わない。
【００７９】
＜画像読み取り部＞
前述した実施の形態では、本発明の画像読み取り部として、スキャナ用キャリッジ１６にＣＣＤセンサ２８を搭載したスキャナ部１０を備えていたが、本発明にあってはこのような画像読み取り部に限らず、原稿から画像を読み取って画像データを生成するのであれば、どのように構成されていても良い。
【００８０】
＜第１メモリについて＞
前述した実施の形態では、本発明の第１メモリとして、ＡＳＩＣに搭載されたＳＤＲＡＭを備えていたが、本発明の第１メモリにあってはこのようなメモリに限らず、スキャナ部１０等の画像読み取り部により生成された画像データを格納可能であれば、どのようなタイプのメモリであっても良く、またメモリ以外の他のタイプのデータ記憶部であっても構わない。
【００８１】
＜第２メモリについて＞
前述した実施の形態では、本発明の第２メモリとして、２つのバッファメモリを備えていたが、本発明の第２メモリにあってはこのようなバッファメモリに限らず、ＳＤＲＡＭ等の第１メモリから読み出された画像データを格納可能であれば、どのようなタイプのメモリであっても良く、またメモリ以外の他のタイプのデータ記憶部であっても構わない。
【００８２】
＜エッジ強調処理＞
前述した実施の形態では、本発明のエッジ強調処理として、アンシャープマスク処理を実施した場合について説明したが、本発明のエッジ強調処理としてはこのようなアンシャープマスク処理に限らず、画像データの画像のエッジ部を強調することができれば、どのようなタイプのエッジ強調処理を行っても良い。
【００８３】
＜データ送信部＞
前述した実施の形態では、本発明のデータ送信部として、通信インターフェース５２を備えていたが、本発明のデータ送信部にあってはこれに限られず、画像データを外部に送信可能であれば、どのような形態のデータ送信部を備えていても良い。
【００８４】
＜媒体について＞
媒体については、前述した用紙として、普通紙やマット紙、カット紙、光沢紙、ロール紙、用紙、写真用紙、ロールタイプ写真用紙等をはじめ、これらの他に、ＯＨＰフィルムや光沢フィルム等のフィルム材や布材、金属板材などであっても構わない。すなわち、インクの吐出対象となり得るものであれば、どのような媒体であっても構わない。
【図面の簡単な説明】
【００８５】
【図１】スキャナ・プリンタ・コピー複合装置の外観を示した斜視図。
【図２】図１の複合装置のスキャナ部のカバーを開いたときの斜視図。
【図３】図１の複合装置の印刷部を示した斜視図。
【図４】図１の複合装置のスキャナ部及び印刷部の構成を示した説明図。
【図５】図１の複合装置のシステム構成を示したブロック構成図。
【図６】エッジ強調ユニットの概要を示したブロック構成図。
【図７】エッジ強調処理で使用されるフィルタの一例を説明する図。
【図８】図８Ａは、エッジ強調処理の概要を説明する図であり、図８Ｂは、ＵＳＭ回路が行う処理の概要を説明する説明図である。
【図９】ＵＳＭ回路の演算処理の概要を説明する説明図。
【図１０】印刷システムの外観構成図。
【図１１】印刷システムの構成を示すブロック構成図。
【符号の説明】
【００８６】
１  ＳＰＣ複合装置、  ３  ホストコンピュータ、  ５  原稿、
１０  スキャナ部、  １２  原稿台、  １４  原稿台カバー、
１６  スキャナ用キャリッジ、  １８  駆動機構、  １８１  タイミングベルト、
１８２  プーリ、  １８３  パルスモータ、  １８４  プーリ、
２０  ガイド、  ２２  露光ランプ、  ２４  レンズ、  ２６  ミラー、
２８  ＣＣＤセンサ、  ３０  印刷部、  ３０１  開口部、  ３２  給紙部、
３２１  給紙トレー、  ３３  ノズル列、  ３４  排紙部、  ３４１  排紙トレー、
３５  プラテン、  ３６  プリンタ用キャリッジ、  ３７  搬送ローラ、
３８  印刷ヘッド、  ４０  キャリッジモータ、  ４１  駆動機構、
４２  紙送りモータ、  ４３  紙送り機構、  ４５  用紙検出センサ、
４６  リニア式エンコーダ、  ４７  ロータリ式エンコーダ、  ４８  プーリ、
４９  タイミングベルト、  ５０  制御部、  ５１  ＡＳＩＣ、  ５０１  バス、
５２  通信インターフェース、  ５４  ＣＰＵ、  ５６  ＣＰＵ用メモリ、
５７１  イメージバッファ、  ５７２  イメージバッファ、
５８  スキャナコントロールユニット、  ６０  ２値化処理ユニット、
６２  インターレース処理ユニット、  ６４  イメージバッファユニット、
６６  ＣＰＵインターフェースユニット（ＣＰＵＩＦ）、
６８  ヘッドコントロールユニット、
６９  ＡＳＩＣ用メモリ、  ６９１  ラインバッファ、
６９２  インターレースバッファ、  ６９３  イメージバッファ、
６９４  イメージバッファ、  ６９５  ルックアップテーブル（ＬＵＴ）、
７０  操作パネル部、  ７１  操作制御部、
８０  エッジ強調処理ユニット、  ８４  ラインポインタ制御部、
８６Ａ  第１バッファメモリ、  ８６Ｂ  第２バッファメモリ、
８８  バッファ制御部、  ９０  ＵＳＭ回路、
１１０  ＳＤＲＡＭＩＦ、  
１０００  コンピュータシステム、  １１０２  コンピュータ本体、
１１０４  表示装置、  １１０８  入力装置、  １１０８Ａ  キーボード、
１１０８Ｂ  マウス、  １１１０  読取装置、
１１１０Ａ  フレキシブルディスクドライブ装置、
１１１０Ｂ  ＣＤ−ＲＯＭドライブ装置、  １２０２  内部メモリ、
１２０４  ハードディスクドライブユニット
【図１】
2005117462.tif 000003
【図２】
2005117462.tif 000004
【図３】
2005117462.tif 000005
【図４】
2005117462.tif 000006
【図５】
2005117462.tif 000007
【図６】
2005117462.tif 000008
【図７】
2005117462.tif 000009
【図８】
2005117462.tif 000010
【図９】
2005117462.tif 000011
【図１０】
2005117462.tif 000012
【図１１】
2005117462.tif 000013